(57)【要約】【課題】マスク及び透明体フェースシールドの装着者が、外気温等の上昇に伴い熱中症を発症する恐れがあり、該装着者のマスク周辺及び透明体フェースシールド上部の額付近に送気することにより冷却する。【解決手段】  空気を吸引する吸気口３１を有しファンユニット２が配置された送気ファン筐体１１と、帽子７の鍔部７１を挟持するクリップ５を下面に有する送気ファン筐体基部１２と、該空気をマスク６周辺及び透明体フェースシールド４２内に導く流路３と、を備え、排気口３２は空気をマスク６周辺の方向に調整するマスク排気口３２１及び透明体フェースシールド４内に案内する額排気口３２２とから構成され、該フェースシールド４はマスク開口部４２２及び額開口部４２１を備えた、冷却装置。【選択図】図１
2022001743.tif 000002
【特許請求の範囲】
【請求項１】
外部の空気を吸引する吸気口と、該吸気口から導入された前記空気をマスク周辺及び透明体フェースシールド内に排気する排気口へ導く流路とが形成された送気ファン筐体と、前記送気ファン筐体に一体に形成された送気ファン筐体基部を備え、
前記送気ファン筐体は、外部の空気を吸引・排気するファンユニットを有し、
前記送気ファン筐体基部の下面には、帽子の鍔部を前記送気ファン筐体基部とで挟持するクリップを備え、
前記クリップの下面には透明体フェースシールドを備え、
前記排気口は、前記外部の空気を前記マスク周辺の方向に調整する排気口調整部を有するマスク排気口及び前記透明体フェースシールド内に案内する額排気口と、を備え、
前記透明体フェースシールドには、前記マスクに前記外部の空気を受け入れるマスク開口部及び前記額排気口に対向した額開口部を備えたことを特徴とするマスク周辺及び透明体フェースシールド内に送気する冷却装置。
【請求項２】
前記透明体フェースシールドは、所要の顔面縦方向の範囲及び所要の顔面横方向の範囲を保護することを特徴とする請求項１に記載のマスク周辺及び透明体フェースシールド内に送気する冷却装置。
【請求項３】
前記クリップの下面に、該クリップの前後方向に移動自在でかつ透明体フェースシールドを着脱自在に構成した、透明体フェースシールド保持部を備えたことを特徴とする請求項１乃至２のいずれか１項に記載のマスク周辺及び透明体フェースシールド内に送気する冷却装置。
【請求項４】
前記吸気口、前記流路、前記排気口、前記マスク排気口、前記排気口調整部及び又は額排気口に、前記外部の空気に含まれる有害物質を除去するフィルター層を、着脱自在に備えたことを特徴とする請求項１乃至３のいずれか１項に記載のマスク周辺及び透明体フェースシールド内に送気する冷却装置。
【請求項５】
前記吸気口、前記流路、前記排気口、前記マスク排気口、前記排気口調整部及び又は額排気口に、前記外部の空気を冷却する冷却部を、着脱自在に備えたことを特徴とする請求項１乃至４のいずれか１項に記載のマスク周辺及び透明体フェースシールド内に送気する冷却装置。
【請求項６】
前記送気ファン筐体に形成された前記外部の空気を吸引・排気する前記ファンユニットが、前記帽子の前記鍔部に垂直な回転軸を備え、前記回転軸を中心として円筒状に配置された羽根を有し、前記羽根の遠心力により発生した旋回流を、前記流路により前記排気口に送気することを特徴とする請求項１乃至５のいずれか１項に記載のマスク周辺及び透明体フェースシールド内に送気する冷却装置。
【請求項７】
前記送気ファン筐体に形成された前記外部の空気を吸引・排気する前記ファンユニットが、前記帽子の前記鍔部突出方向に直交する横方向回転軸を備え、前記回転軸を中心として円筒状に配置された羽根を有し、前記羽根の遠心力により発生した旋回流を、送気の幅を広く取り前記流路により前記排気口に送気することを特徴とする請求項１乃至５のいずれか１項に記載のマスク周辺及び透明体フェースシールド内に送気する冷却装置。
【請求項８】
前記送気ファン筐体に形成された前記外部の空気を吸引・排気する前記ファンユニットが、前記帽子の前記鍔部突出方向上方に所定角を有する回転軸を備え、前記回転軸を中心として配置された羽根により前記回転軸方向に風を発生させて、前記流路により前記排気口に送気することを特徴とする請求項１乃至５のいずれか１項に記載のマスク周辺及び透明体フェースシールド内に送気する冷却装置。
【発明の詳細な説明】
【技術分野】
【０００１】
本発明は、マスク及び透明体フェースシールドを装着した際、外気温等の上昇に伴い、マスク及び透明体フェースシールド装着者が熱中症を発症するのを防ぐことを目的とし、マスク及び透明体フェースシールド装着者のマスク周辺及び透明体フェースシールド上部の額付近に送気することにより冷却する、装着者が熱中症を発症することを防止する、マスク周辺及び透明体フェースシールド内に送気する冷却装置に関するものである。
【背景技術】
【０００２】
熱中症対策としては、従来扇風機等の送気ファンを、涼しくする必要な体の部位に向けて送気する構成が、採用されている。
【０００３】
例えば、特許文献１に記載のファン付帽子は、日除け作用に加えて涼しさを与えることを目的として、帽子本体１３のつば部１２にファン１７を固定して、帽子本体１３の開口部１４を介し頭に向って送風する構造である。
特許文献２に記載のクリップタイプ扇風機は、携帯し易くクリップを用いて使用者の衣服に固定させて使用し、必要に応じて風向きを選択的に制御することができ、使用者の衣服の内側にも効率的に風を送風できる、クリップタイプ扇風機である。
特許文献３に記載のヘルメット＆帽子扇風機は、クリップ等の突起部分が無く、そのままでヘルメットや帽子のどちらにもピッタリと快適に装着することができ、ヘルメットや帽子のバンドに挟み込む位置を変えて、後頭部への送気気化冷却位置を上下左右に変えることが出来る、ヘルメット＆帽子扇風機である。
特許文献４に記載のネックバンド型扇風機は、装着時の体にかかる負担を減らし、長時間使用可能とし、本体８から首筋や顔に向け開かれた空気吹き出し口２から、直接空気を吹き出す構造である。
【０００４】
例えば、特許文献５に記載のヘルメット・アセンブリを含む空気濾過システムは、外科手術の医療関係者であるユーザの頭部および身体とユーザの外部環境であるクリーンルームとの間の空気を濾過する空気濾過システムに関するものであり、ユーザの頭部１４にモーター５０により回転するファン５０を設けて空気をハウジング４８内に取り込み、ユーザの頭部１４の周りに空気を分配する、外科手術の医療関係者に用いられるフェースシールドを備えたヘルメット・アセンブリを含む空気濾過システムである。
特許文献６に記載の送気マスク用フェースシールドは、保護帽１の固定枠３にアイピース４を取り付けたものであり、保護帽１の側面に送気路７を設け、該送気路７の空気取り入れ口８を着用者の背後に設けると共に該送気路７の吹き出し口６を着用者の顔の両側面に設置した、該送気マスク用フェースシールドのアイピース４の空間に清浄な空気を送気する、送気マスク用フェースシールドである。
特許文献７に記載の熱硬化性エラストマーフェースシールを備えたレスピレータ面体は、呼吸保護用複合面体１１が、第１表面及び第２表面を有するポリアミドを含む高分子剛性面体本体２０を包含し、シリコーンシール面体要素が、第１表面及び第２表面の少なくとも一方に化学的に結合された構成であり、高分子剛性面体２０は、吸気弁３２と濾過カートリッジ２８とを含んでおり、シリコーン面体要素は、濾過カートリッジ２８と高分子剛性面体本体２０との間にガスケットを形成している。そして、プラスチック製レスピレータ本体への熱硬化性弾性シール部材の機密固定を課題とするものである。
特許文献８に記載の患者用インタフェース１０２は、シール部材２０２と支持部材２０４とを具備するインタフェース本体２００を具備するフルフェイスマスクで、弾性要素と非弾性要素とを用いたヘッドギア組立体が接続されるものであり、該ヘッドギア組立体により患者に対するインタフェースの最終的な装着を可能とするものである。
【先行技術文献】
【特許文献】
【０００５】
【特許文献１】特開平６−１７３１０９号公報
【特許文献２】特表２０１８−５１３９３２号公報
【特許文献３】特開２０１３−２５３５９０号公報
【特許文献４】特開２０１９−１０５２６６号公報
【特許文献５】特開２００９−２９９２５３号公報
【特許文献６】特開２０００−２１２８２１号公報
【特許文献７】特開２０１５−１８０２５７号公報
【特許文献８】特開２０１９−７２５２８号公報
【発明の概要】
【発明が解決しようとする課題】
【０００６】
特許文献１に記載のファン付帽子は、帽子本体１３のつば部１２にファン１７を固定して、帽子本体１３の開口部１４を介し頭に向って送風する構造のため、装着者のマスク周辺及び透明体フェースシールド内に送気することができない。
特許文献２に記載のクリップタイプ扇風機は、使用者の衣服の内側にも効率的に風を送風することを目的としており、装着者のマスク周辺及び透明体フェースシールド内に送気することを目的とするものではない。
特許文献３に記載のヘルメット＆帽子扇風機は、ヘルメットや帽子のバンドに挟み込む位置を変えて、後頭部への送気気化冷却位置を上下左右に変えることを目的とするものであり、装着者のマスク周辺及び透明体フェースシールド内に送気することを目的とするものではない。
特許文献４に記載のネックバンド型扇風機は、首筋や顔に向け開かれた空気吹き出し口２から、空気を首筋や顔に向け吹き出す構造であり、装着者のマスク周辺及び透明体フェースシールド内に送気することを目的とするものではない。
以上のように、従来の扇風機又はファンは、体の一部特に首筋や顔の後頭部等を、冷却又は送風することを目的としており、装着者のマスク周辺及び透明体フェースシールド内に、送風するこができず、装着者のマスク周辺及び透明体フェースシールド内の体温上昇を押さえる効果はない。
【０００７】
特許文献５に記載のフェースシールドを備えたヘルメット・アセンブリを含む空気濾過システムは、外科手術の医療関係者であるユーザの頭部１４にモーター５０により回転するファン５０を設けて空気をハウジング４８内に取り込み、ユーザの頭部１４の周りに空気を分配する構造であり、医療関係者であるユーザが熱中症を発症することを防止することを目的とするものではない。
特許文献６に記載の送気マスク用フェースシールドは、送気路７の吹き出し口６を着用者の顔の両側面に設置し、該送気マスク用フェースシールドのアイピース４の空間に清浄な空気を送気することを目的とするものであり、装着者のマスク周辺に送気するものでもなく、フェースシールド上部の額付近に送気するものでもない。
特許文献７に記載の熱硬化性エラストマーフェースシールを備えたレスピレータ面体は、ラスチック製レスピレータ本体への熱硬化性弾性シール部材の機密固定を課題とするものであり、フェースシールド上部の額付近に送気することにより冷却し、装着者が熱中症を発症することを目的とするものではない。
特許文献８に記載の患者用インタフェース及びヘッドギアは、該ヘッドギア組立体により患者に対するインタフェースの最終的な装着を課題とするものであり、フェースシールド上部の額付近に送気することにより冷却し、装着者が熱中症を発症することを目的とするものではない。
【０００８】
このような観点から、本発明は、マスク及び透明体フェースシールドを装着した際、外気温等の上昇に伴い、マスク及び透明体フェースシールド装着者が熱中症を発症するのを防ぐことを目的とし、マスク及び透明体フェースシールド装着者がマスク及び透明体フェースシールド装着状態において、マスク周辺及び透明体フェースシールド上部の額付近に送気する、マスク周辺及び透明体フェースシールド内に送気する冷却装置を提案することを課題とする。
【課題を解決するための手段】
【０００９】
上記課題を解決するために、本発明（請求項１）は、「外部の空気を吸引する吸気口と、該吸気口から導入された前記空気をマスク周辺及び透明体フェースシールド内に排気する排気口へ導く流路とが形成された送気ファン筐体と、前記送気ファン筐体に一体に形成された送気ファン筐体基部を備え、前記送気ファン筐体は、外部の空気を吸引・排気するファンユニットを有し、前記送気ファン筐体基部の下面には、帽子の鍔部を前記送気ファン筐体基部とで挟持するクリップを備え、前記クリップの下面には透明体フェースシールドを備え、前記排気口は、前記外部の空気を前記マスク周辺の方向に調整する排気口調整部を有するマスク排気口及び前記透明体フェースシールド内に案内する額排気口と、を備え、前記透明体フェースシールドには、前記マスクに前記外部の空気を受け入れるマスク開口部及び前記額排気口に対向した額開口部を備えたこと」を特徴としている。
【００１０】
かかる構造によれば、ファンユニットにより外部の空気を吸引・排気することにより、外部の空気をマスクの周辺及び透明体フェースシールド内に送気することが可能なため、マスクの周辺及び透明体フェースシールド内を冷却することが可能となり、マスク及び透明体フェースシールドを装着した際、外気温等の上昇に伴い、マスク及び透明体フェースシールド装着者が熱中症を発症するのを防ぐことができる。
また、外部の空気をマスク周辺及び透明体フェースシールド内に送気することにより、眼鏡のくもりも防止することが可能となる。さらに、送気ファン筐体基部底面を、クリップにより帽子の鍔部表面上に、強固にかつ安定的に固定することができる。
【００１１】
本発明（請求項２）は、「前記透明体フェースシールドは、所要の顔面縦方向の範囲及び所要の顔面横方向の範囲を保護すること」を特徴としている。
【００１２】
かかる構造によれば、マスク及び透明体フェースシールド装着者の、縦方向及び横方向の所用範囲の顔面を、透明体フェースシールドで安全に保護することができる。
【００１３】
本発明（請求項３）は、「前記クリップの下面に、前記クリップの前後方向に移動可能でかつ透明体フェースシールドを着脱自在に構成した、透明体フェースシールド保持部を備えたこと」を特徴としている。
【００１４】
かかる構造によれば、ファンユニットにより外部の空気を吸引・排気することにより、外部の空気をマスク周辺及び透明体フェースシールド内に送気した際、透明体フェースシールド保持部は、クリップの前後方向に移動自在なため顔面との距離を調整でき、透明体フェースシールドを着脱自在に構成しているため、必要に応じて該透明体フェースシールドの装着が可能となる。
【００１５】
本発明（請求項４）は、「前記吸気口、前記流路、前記排気口、前記マスク排気口、前記排気口調整部及び又は額排気口に、前記外部の空気に含まれる有害物質を除去するフィルター層を、着脱自在に備えたこと」を特徴としている。
【００１６】
かかる構造によれば、ファンユニットにより外部の空気を吸引・排気する際、外部の空気に含まれる有害物質を、フィルター層により除去することができる。そして、該有害物質としては、公知の感染症ウイルス、細菌、花粉、ＰＭ２１を含み、有害物質を除去可能な公知のフィルター層を使用することができる。さらに、必要に応じて上記以外の前記有害物質を除去する必要がある場合には、該除去必要な有害物資に対する公知のフィルター層を使用することができる。
【００１７】
本発明（請求項５）は、「前記吸気口、前記流路、前記排気口、前記マスク排気口、前記排気口調整部及び又は額排気口に、前記外部の空気を冷却する冷却部を、着脱自在に備えたこと」を特徴としている。
【００１８】
かかる構造によれば、ファンユニットにより外部の空気を吸引・排気する際、外部の空気の温度を、冷却部により冷却することができる。そして、該冷却部としては、公知の冷却部を使用することができる。
【００１９】
本発明（請求項６）は、「前記送気ファン筐体に形成された前記外部の空気を吸引・排気する前記ファンユニットが、前記帽子の前記鍔部に垂直な回転軸を備え、前記回転軸を中心として円筒状に配置された羽根を有し、前記羽根の遠心力により発生した旋回流を、前記流路により前記排気口に送気すること」を特徴としている。
【００２０】
かかる構造によれば、ファンユニットにより、帽子の鍔部の上方の外部の空気を、羽根の遠心力により発生した方向性及び圧力も上昇した旋回流として流路に送気できる。
【００２１】
本発明（請求項７）は、「前記送気ファン筐体に形成された前記外部の空気を吸引・排気する前記ファンユニットが、前記帽子の前記鍔部突出方向に直交する横方向回転軸を備え、前記回転軸を中心として円筒状に配置された羽根を有し、前記羽根の遠心力により発生した旋回流を、送気の幅を広く取り前記流路により前記排気口に送気すること」を特徴としている。
【００２２】
かかる構造によれば、ファンユニットにより、帽子の鍔部上方の外部の空気を、横方向に長い円筒状に配置された前記羽根の遠心力により発生した旋回流を、送気の幅を広く取り流路に送気できる。
【００２３】
本発明（請求項８）は、「前記送気ファン筐体に形成された前記外部の空気を吸引・排気する前記ファンユニットが、前記帽子の前記鍔部突出方向上方に所定角を有する回転軸を備え、該回転軸を中心として配置された羽根により該回転軸方向に風を発生させて、前記流路により前記排気口に送気すること」を特徴としている。
【００２４】
かかる構造によれば、ファンユニットにより、帽子の鍔部突出方向上方に所定角を有する方向の外部の空気を、回転軸を中心として配置された羽根により該回転軸方向に風を発生させて、流路により前記排気口に送気できる。
【発明の効果】
【００２５】
本発明のマスク周辺及び透明体フェースシールド内に送気する冷却装置は、帽子の鍔部上方の外部の空気を、的確にマスク及び透明体フェースシールド装着者のマスク周辺及び透明体フェースシールド上部の額付近に送気することができ、該装着者が熱中症を発症するのを防ぐことができ、また眼鏡がくもるのも防止できと共に、送気ファン筐体基部を、クリップにより帽子の鍔部に、強固にかつ安定的に固定できる。
そして、透明体フェースシールドは、所要の顔面縦方向の範囲及び所要の顔面横方向の範囲を保護すること、さらに該クリップ５の前後方向に移動自在でかつ着脱自在に構成したことにより、多様な要求性能に対応可能である。
また、有害物質を除去可能なフィルター層を、流路の必要な箇所に着脱自在に設置することにより、外部の空気に含まれる有害物質を除去することができ、さらに冷却部を流路の必要な箇所に着脱自在に設置することにより、該外部の空気を冷却することができる。
また、ファンユニットを、帽子の鍔部上面に垂直かつ円筒状に配置することにより、外部の空気を方向性及び圧力も上昇した旋回流として流路に送気できる。
さらに、ファンユニットを、帽子の鍔部上面に横方向かつ円筒状に配置することにより、外部の空気を送気の幅を広く取り流路に送風できる。
また、帽子の鍔部突出方向上方に所定角を有する回転軸方向に風を発生させて、流路により排気口に送気することができる。
【図面の簡単な説明】
【００２６】
【図１】実施例１における、マスク周辺及び透明体フェースシールド内に送気する冷却装置を、装着者が装着した状態を示す図である。
【図２】実施例２における、マスク周辺及び透明体フェースシールド内に送気する冷却装置を、装着者が装着した状態を示す図である。
【図３】実施例１における、マスク周辺及び透明体フェースシールド内に送気する冷却装置で、（ａ）は立面図、（ｂ）は平面図、及び（ｃ）は側面図である。
【図４】実施例２における、マスク周辺及び透明体フェースシールド内に送気する冷却装置で、（ａ）は立面図、（ｂ）は平面図、及び（ｃ）は側面図である。
【図５】実施例３における、マスク周辺及び透明体フェースシールド内に送気する冷却装置を、装着者が装着した状態を示す図である。
【発明を実施するための形態】
【００２７】
本発明において、マスク６周辺及び透明体フェースシールド４内に送気する冷却装置（以下、冷却装置という）とは、マスク及び透明体フェースシールド装着者（以下、装着者という）の装着した帽子７の鍔部７１の上面に載置したファンユニット２により、空気を装着者のマスク６周辺及び透明体フェースシールド４上部の額付近に送気することにより冷却する装置である。
そして、帽子７は、鍔部７１が全周又は一部にあるものを含む。また、該帽子７は頭部を保護するヘルメット及び頭部を外部有害物から防御するものも包括する、いわゆる頭部に被せるものを含む。
【００２８】
本発明において、装着者が通常顔面前側に装着した帽子７の鍔部７１の突出方向を「前側（Ｘ軸正方向）」という。該帽子７の鍔部７１の表面側方向を「上側（Ｙ軸正方向）」またＹ軸を縦方向ともいう。装着者が通常顔面前側に装着した帽子７の鍔部７１の突出方向に向かって左右方向の右を「右側（Ｚ軸正方向）」またＺ軸を横方向ともいう。
【００２９】
本発明の冷却装置は、充電バッテリー（図示せず）を、一例としてＵＳＢ方式の充電接続部２３から充電することにより、スイッチ（図示せず）によりモーター２２を回転させ、ファンユニット２の回転により空気を送気する、公知の小型の電動回転送気機構を採用する。また、公知の太陽光発電による充電機構の採用もできる。
【００３０】
本発明の冷却装置は、加工が容易で軽量かつ安価な、一例として公知の合成樹脂材料により形成することができ、組み立て分解が容易な構造を採用する。
また、送気ファン筐体基部１２を帽子７の鍔部７１に強固にかつ安定的に固定するクリップ５は、冷却装置の荷重に対応した強力な挟持力を備えた、公知の構造を採用する。
さらに必要に応じて付加的に、送気ファン筐体基部１２と帽子７の鍔部７１とを、強固に連結する例えばベルト、両面ファスナ、又はボルトナット等の、公知の連結固定機構を採用する。
【実施例１】
【００３１】
図１は実施例１における冷却装置を、装着者が装着した状態を示す図である。
該装着者は帽子７を被り、マスク６及び透明体フェースシールド４を装着し、目９には必要に応じて眼鏡８も装着している。帽子７の鍔部７１の上表面には、送気ファン筐体１１Ａに一体に形成された送気ファン筐体基部１２Ａを載置し、帽子７の鍔部７１を送気ファン筐体基部１２Ａとで挟持するクリップ５を備えている。該クリップ５の下面には透明体フェースシールド４を備えている。
そして、送気ファン筐体１１Ａは、外部の空気を吸引・排気するファンユニット２Ａを有している。該ファンユニット２Ａは、外部の空気を吸引する吸気口３１Ａから外部の空気を吸引し、流路３Ａを通過して外部の空気を、マスク６周辺の方向に調整する排気口調整部３３を有するマスク排気口３２１、及び透明体フェースシールド４内に案内する額排気口３２２に送気する。
【００３２】
上記外部の空気は、マスク排気口３２１から送気３５１により装着者のマスク６周辺に送気することによりマスク６を冷却し、さらに上記外部の空気は、額排気口３２２から送気３５２により装着者の透明体フェースシールド４内に送気することにより額部を冷却し、装着者が熱中症を発症することを防止するものである。
【００３３】
図３は、実施例１における冷却装置で、（ａ）は立面図、（ｂ）は平面図、及び（ｃ）は側面図である。
【００３４】
図３の（ｃ）の側面図には、クリップ５の下面に、該クリップの前後方向に移動自在でかつ透明体フェースシールド４を着脱自在に構成した、透明体フェースシールド保持部４１を備えた構成が記載されている。
また、透明体フェースシールド４には、額排気口３２２に対向した額開口部４２１及びマスク６に外部の空気を受け入れるマスク開口部４２２を備えたことが記載されている。
【００３５】
透明体フェースシールド４には、公知の所用の剛性を備えた透明な合成樹脂、一例としてアクリル合成樹脂シート、から構成することにより、装着者を外部の有害物質から保護することができる。上記透明体フェースシールド４は、図−３（ｃ）に示すように所要の顔面縦方向の範囲をカバーし、及び図−３（ｂ）に示すように所要の顔面横方向の範囲をカバーすることができる。
【００３６】
上記透明体フェースシールド保持部４１は、クリップ５の前後方向に、公知の移動機構、一例としてレール又は溝状の走路と該走路を移動可能な走路挟持体から構成することにより、顔面との距離を調整できる。
さらに透明体フェースシールド４は、公知の着脱自在機構、一例として差し込み式、を備えることにより、必要に応じての該透明体フェースシールド４の装着が可能となる。
【００３７】
図３の（ａ）、（ｂ）及び（ｃ）に示すように、外部の空気は、吸気口３１Ａから吸気され流路３Ａを経て、排気口３２を構成する、該外部の空気をマスク６周辺の方向に調整する排気口調整部３３を有するマスク排気口３２１、及び透明体フェースシールド４内に案内する額排気口３２２に送気される。
そして、外部の空気に含まれる有害物質を除去する公知のフィルター層（図示せず）を、吸気口３１Ａ、流路３Ａ、排気口３２、マスク排気口３２１、排気口調整部３３及び又は額排気口３２２に着脱自在に設置する。設置する場所は、ファンユニット２Ａの構造、吸引・吐出圧力、流路構造により適宜選択する。該ファンユニット２Ａにより外部の空気を吸引・排気する際、該外部の空気に含まれる有害物質を、フィルター層により除去することができる。該有害物質としては、公知の感染症ウイルス、細菌、花粉又はＰＭ２１を含み、該有害物質を除去可能な公知のフィルター層を使用することができる。必要に応じて上記以外の有害物質を除去する必要がある場合には、除去必要な有害物資に対する公知のフィルター層を使用することができる。
【００３８】
図３の（ａ）、（ｂ）及び（ｃ）に示すように、外部の空気は吸気口３１Ａから吸気され流路３Ａを経て、排気口３２を構成する該外部の空気をマスク６周辺の方向に調整する排気口調整部３３を有するマスク排気口３２１、及び透明体フェースシールド４内に案内する額排気口３２２に送気される。
そして、外部の空気を冷却する冷却部（図示せず）を、吸気口３１Ａ、流路３Ａ、排気口３２、マスク排気口３２１、排気口調整部３３及び又は額排気口３２２に、着脱自在に設置する。設置する場所は、ファンユニット２Ａの構造、吸引・吐出圧力及び流路構造により、適宜選択する。かかる構造によれば、ファンユニット２Ａにより外部の空気を吸引・排気する際、外部の空気の温度を、冷却部により冷却することができる。冷却部としては、公知の冷却部を使用することができる。一例として公知の冷却パイプを、流路３Ａ（実施例２の図４では３Ｂ）の適宜箇所、一例として流路３Ａ（実施例２の図４では３Ｂ）の排気口３２Ａ（実施例２の図４では３２Ｂ）の直前箇所、に流路を横断するように設置することができる。
【００３９】
図３の（ａ）、（ｂ）及び（ｃ）に示すファンユニット２Ａは、帽子７の鍔部７１に垂直な（Ｙ軸方向）回転軸を備え、該回転軸を中心として円筒状に配置された羽根２１Ａを有し、該羽根２１Ａの遠心力により発生した旋回流を流路３Ａにより排気口３２に送気することを特徴とする、いわゆるブロワである。円筒状に配した前向き羽根のランナーの遠心力により、モーター回転軸にほぼ垂直な向きに旋回流を作り、発生した旋回流は羽根２１Ａの外周の円筒状の送気ファン筐体１１のスクロールにより一方向に整流され、圧力も上昇しているため、流路３Ａを経ても排気口３２から、一例として排気口調整部回転部３４で方向調整が自在な排気口調整部３３により、一定方向に送気３５１を集中し、マスク６周辺を局部的に冷却できる。また、排気口３２から、透明体フェースシールド４内に案内する額排気口３２２に送気され、送気３５２により額を局部的に冷却できる。
実施例１では、ファンユニット２Ａを並列に２基配置し、送気３５Ａの幅方向範囲を広く確保したが、１基でも３基以上でも適宜選択できる。
【実施例２】
【００４０】
図２は、実施例２における冷却装置を、装着者が装着した状態を示す図である。
装着者は帽子７を被り、マスク６及び透明体フェースシールド４を装着し、目９には必要に応じて眼鏡８も装着している。帽子７の鍔部７１の上表面には、送気ファン筐体１１Ｂに一体に形成された送気ファン筐体基部１２Ｂを載置し、該帽子７の鍔部７１を送気ファン筐体基部１２Ｂとで挟持するクリップ５を備えている。
そして、送気ファン筐体１１Ｂは、外部の空気を吸引・排気するファンユニット２Ｂを有し、ファンユニット２Ｂは、外部の空気を吸引する吸気口３１Ｂから外部の空気を吸引し、流路３Ｂを通過して空気を、排気口３２を構成する、該外部の空気をマスク６周辺の方向に調整する排気口調整部３３を有するマスク排気口３２１、及び透明体フェースシールド４内に案内する額排気口３２２に送気される。
上記外部の空気は、マスク排気口３２１から送気３５１により装着者のマスク６周辺に送気することによりマスク６を冷却し、さらに上記外部の空気は、額排気口３２２から送気３５２により装着者の透明体フェースシールド４内に送気することにより額部を冷却し、装着者が熱中症を発症することを防止するものである。
【００４１】
図４は、実施例２における冷却装置で、（ａ）は立面図、（ｂ）は平面図、及び（ｃ）は側面図である。
図３と同じ符号の部材については、説明を省略する。
また、外部の空気に含まれる有害物質を除去する公知のフィルター層（図示せず）、及び外部の空気を冷却する冷却部（図示せず）に関しては、実施例１の図３の（ａ）、（ｂ）及び（ｃ）で説明した事項を、実施例２においても同様に採用する。
【００４２】
図４の（ａ）、（ｂ）及び（ｃ）に示すファンユニット２Ｂは、横方向（Ｚ軸方向）に円筒状に配置された羽根２１Ｂを有し、横方向に長い円筒状の羽根２１Ｂの遠心力により発生した旋回流を、送気の幅を広く取り流路３Ｂにより排気口３２に送気することを特徴とする。ブロワに似た羽根２１Ｂのランナーを持っているが、両側面が側板で覆われているため、軸方向からの外部の空気の流入はない。そのため、羽根２１Ｂのランナー内を通り抜ける貫流が発生し送気の幅を広くとれる、いわゆるクロスフローファンである。
そして、送気を羽根２１Ｂのランナー円周に沿って下方向に吹き出す均一な送気が得られ、流路３Ｂを経ても排気口３２から、一例として排気口調整部回転部３４で方向調整が自在な排気口調整部３３により、一定方向に送気３５１を集中し、マスク６周辺を局部的に冷却できる。また、排気口３２から、透明体フェースシールド４内に案内する額排気口３２２に送気され、送気３５２により額を局部的に冷却できる。
【実施例３】
【００４３】
図５は、実施例３における冷却装置を、装着者が装着した状態を示す図である。図３と同じ符号の部材については、説明を省略する。
また、外部の空気に含まれる有害物質を除去する公知のフィルター層（図示せず）、及び外部の空気を冷却する冷却部（図示せず）に関しては、実施例１、実施例２と同様に採用する。
【００４４】
図５には、透明体フェースシールド４のマスク開口部４２２に、該マスク開口部４２２の前面を覆いかつ送気３５１をマスク開口部４２２に導入できるマスク開口部カバー４３を設けた透明体フェースシールド４が記載されている。当該マスク開口部カバー４３を備えた透明体フェースシールド４は、立体的に構成することにより、該マスク開口部カバー４３の上端部から送気３５１が導入可能であり、実施例１及び実施例２にも採用できる。
【００４５】
送気ファン筐体１１Ｃは、外部の空気を吸引・排気するファンユニット２Ｃを有し、ファンユニット２Ｃは、外部の空気を吸引する吸気口３１Ｃから外部の空気を吸引し、流路３Ｃを通過して空気を、排気口３２を構成する、該外部の空気をマスク６周辺の方向に調整する排気口調整部３３を有するマスク排気口３２１、及び透明体フェースシールド４内に案内する額排気口３２２に送気される。
ファンユニット２Ｃは、円筒状の環状流路にある羽根２１Ｃを有し、該羽根２１Ｃにより空気を圧送する。羽根２１Ｃは帽子７の鍔部７１突出方向（Ｘ軸方向）上方に所定角αを有する回転軸を中心として配置され、羽根２１Ｃにより該回転軸方向に風を発生させる、いわゆるプロペラファンである。
実施例３では、ファンユニット２Ｃの配置基数を限定していないが、送気３５の所用幅により、適宜選択できる。
外部の空気は、マスク排気口３２１から送気３５１により装着者のマスク６周辺に送気することによりマスク６を冷却し、さらに該外部の空気は、額排気口３２２から送気３５２により装着者の透明体フェースシールド４内に送気することにより額部を冷却し、装着者が熱中症を発症することを防止するものである。
【産業上の利用可能性】
【００４６】
本発明のマスク周辺及び透明体フェースシールド内に送気する冷却装置は、マスク装着者の装着した帽子７の鍔部７１に、簡単にクリップ５により載置できるファンユニット２により、空気をマスク及び透明体フェースシールド装着者のマスク周辺及び透明体フェースシールド上部の額付近に送気することにより冷却できる。
そして、上記帽子７の鍔部７１が全周又は一部にあるものを含み、また該帽子７は、頭部を保護するヘルメット及び頭部を外部有害物から防御するものを含む、いわゆる頭部に被せるものに、容易にかつ安価に適用できる。
【符号の説明】
【００４７】
１、１Ａ・Ｂ・Ｃ      送気ファン
１１、１１Ａ・Ｂ・Ｃ  送気ファン筐体
１２、１２Ａ・Ｂ・Ｃ  送気ファン筐体基部
２、２Ａ・Ｂ・Ｃ      ファンユニット
２１、２１Ａ・Ｂ・Ｃ  羽根
２２、２２Ａ・Ｂ・Ｃ  モーター
２３、２３Ａ・Ｂ・Ｃ  充電接続部
３、３Ａ・Ｂ・Ｃ      流路
３１、３１Ａ・Ｂ・Ｃ  吸気口
３２                  排気口
３２１                マスク排気口
３２２                額排気口
３３                  排気口調整部
３４                  排気口調整部回転部
３５                  送気
３５１                マスク送気
３５２                額送気
４                    透明体フェースシールド
４１                  透明体フェースシールド保持部
４２１                額開口部
４２２                マスク開口部
４３                  マスク開口部カバー
５                    クリップ
６                    マスク
７                    帽子
７１                  鍔部
８                    眼鏡
９                    目
【図１】
2022001743.tif 000003
【図２】
2022001743.tif 000004
【図３】
2022001743.tif 000005
【図４】
2022001743.tif 000006
【図５】
2022001743.tif 000007